(57)【要約】      （修正有）【課題】地上から屋根の雪を「安全・労力軽減・効率よく」落とす事ができる雪落とし具を提供する。【解決手段】雪落とし具は、棹６と棹の先端に装着された基板２と、基板に接続部品３で連結された、開いて立ち上がる上板１を有する。【選択図】図２
0003214188.tif 000002
【実用新案登録請求の範囲】
【請求項１】
長尺の棹と、前記棹の先端に装着部品で装着された、ストッパーが設けられた基板と、前記基板に接続部品で鋭角に連結された上板とを有し、雪を落とす時に立ち上がる上板を前記ストッパーで止めることを特徴とする雪落とし具。
【請求項２】
前記上板は、雪に差込み後の引き抜き時、基板に対し約９０度に立上がり、雪を引き落とす事を特徴とする請求項１に記載の雪落とし具。
【請求項３】
前記基板は、上板が約９０度に開く時のストッパーが基板に一体に設けられている事を特徴とする請求項１に記載の雪落とし具。
【請求項４】
前記基板の先端に一体化されたストッパーは、鋭角の曲がりがある事を特徴とする請求項１に記載する雪落とし具。
【考案の詳細な説明】
【技術分野】
【０００１】  本考案は、屋根の積雪を地上から引き落とす事を目的とした雪落とし具に関するものである。
【技術背景】
【０００２】  従来のこの種の地上から操作する雪落とし具・雪下ろし具は、長尺柄の先端に雪落とし器具を装着し、雪面表面に落とし、雪を引き落とす構造のものが知られている。屋根強度の不安を覚える積雪量に対し、また雪落としが困難な雪面凍結に対し、比較的安全に、効率良く地上から雪落としが出来る器具は、現在の雪処理器具類では見当らない。
本考案は、雪中から雪を引き落とし、雪を崩し落とすための雪落とし器具の考案である。
【先行技術文献】
【特許文献】
【０００３】
【特許文献１】実用新案登録第３１２７７８７号  公報
【特許文献２】実用新案登録第３１８７３４９号  公報
【特許文献３】特開２００７−２３１７０８号  公報
【特許文献４】特開２００８−０７５４３３号  公報
【考案が解決しようとする課題】
【０００４】  従来技術の場合、積雪量が多い状態では掻き落とす作業の労力が増す。深く入り過ぎた時は引く力がより必要となり、また雪が深い程作業位置取りが遠くなり、柄も長くなり、雪落とし器具の体感重量が増し、労力の増加となる。
屋根の積雪量０の時の設定作業位置に対し、積雪高さの２倍も作業位置は遠くなっていく。
雪面が凍結した状態では、雪落とし器具が刺さりにくく、また、刺さったとしても引き落とす際に凍結の為多くの雪に力が伝達し大きな力が必要となり、困難を要す。作業に当り、労力、効率、安全性と共に様々な雪の状態に対処出来る器具が望ましい。
【課題を解決しようとするための手段】
【０００５】  上記の課題を解決する為、請求項１に記載の考案は、棹６の先端に雪落とし体を設けており、棹６と装着部品５で装着のストッパー７を設けた基板２、さらにその基板に接続部品３で鋭角に連結した上板１を有することを特徴とする。
【０００６】  基板２に接続部品３で連結された、上部が波形状の上板１は、常用時手前に約３０度に傾いているが、請求項２に記載のごとく、引き抜き時約９０度に立上がり掻き出す雪落とし具である。
【０００７】  請求項３に記載の基板２は、上板１の横幅全体のストッパー７と一体化を成している。ストッパー７は鋭角で手前に傾いている為、基板２の強度は増し、しなりにくくなり、より荷重に耐える構造となってる雪落とし具である。
【０００８】  請求項４に記載のストッパー７は、約３０度の強い曲がりの為、雪の中に差し込みやすくなっている事が特徴の雪下ろし具である。
【考案の効果】
【０００９】  本考案は、積雪した屋根に乗ることがなく、地上で作業することで、安全、労力の軽減となる。雪の落ちる位置確認の後、作業位置を定め、雪中に差し込んで引き抜く動作を行う。積雪量に影響なく建物との距離間は、ほぼ同じ位置にて作業労働が出来る。
また、差し込み、引き落とすという労働力が、積雪部に空洞を作り、のちに上から雪が崩れてくる、という加算された雪除去力が生まれるという効率の高さも出てくる。
【図面の簡単な説明】
【００１０】
【図１】本考案の雪落とし具の全体斜視図である。
【図２】本考案の雪落とし時の全体斜視図である。
【図３】本考案の雪落とし具の上板・基板側面図である。
【図４】本考案の雪落とし具の部品分解図（ねじ、棹除く）である。
【図５】本考案の雪落とし具の使用状態図である。
【考案を実施するための形態】
【００１１】  本考案の雪落とし具の代表図は、図１の全体斜視図である。積雪への差込み時の状態を示している。上部が波状の上板１と、接続部品３で連結された、ストッパー７を一体化した基板２と装着部品５によって装着された伸縮の中空アルミニウム長尺棹６で構成されている。
【００１２】  図２は、図１の状態で雪中に差し込み、引き抜く時の形態を示している。上板が約９０度に開き雪を掻き出し、落とすものである。
上板１は、雪の掻き出し時に、雪に抵抗して開きやすくなる様、上部が波形状である。
【００１３】  図３は、雪中で引き落としている時の状態を示している。約９０度に立ち上がった上板１の内側に雪が乗り、引き落とす基板２の状態を表している。
ストッパー７は、上板１の立上がり角度を保持し、引き落とし時の上板１の支えとなる役割を成している。
基板２の先端に一体化したストッパー７は、手前側に傾いた約３０度の鋭角形状の特徴があり、積雪に対し、差し込みやすい形状となっている。基板２のしなり補正などの利点も併せ持っている。
棹６は、装着部に先端のみを示している。
【００１４】  図４は、本考案の雪落とし具を分解した部品図がである。接続部品のねじ４と棹６は除外してあるが、前記記載の棹６は中空アルミニウム製パイプで、多段階式の伸縮できる長尺棹６である。上板１およびストッパー７一体化の基板２は、高い耐久性のあるプラスチック及び軽金属等が適宣素材である。接続部品３は、接続部品ねじ４と共にステンレススチールが望ましい。装着部品はアルミニウム、プラスチックが相応しい。
各部品については、積雪条件、器具の軽量化、雪落とし効率、器具への雪の付着、雪落とし体の形状・色など、様々な作業環境を思考する時には任意に変更できる。
【００１５】  図５は、婦女子でも雪落としが容易に出来る本考案の雪落とし具である。軒先の積雪下部に差し込もうとしている作業状態を示している。
基板２を縦にして雪をブロック状に切り、掻き落とすこともできる。
【実施例】
【００１６】  本考案の雪落とし具は、軒先に届く長尺棹６を３．５ｍ程に伸ばし、屋根の傾斜に沿って軒先の積雪下部にポリカーボネート製上板１とアルミニウム基板２を接続部品３で連結した雪落とし体を任意の力で差し込み、上板１が立ち上がった状態で雪を基板２の上に乗せて、引く抜かれて雪を落としてくる器具である。図１及び図２が示している図である。
本考案の雪落とし具は、全長約４．７ｍである。また、棹先端より４ｍ地点において、棹のしなり角度は約１３度になる。作業位置は、軒の高さ３．３ｍ、屋根が６寸勾配、作業者が長尺棹６を持つ手の、上の手が地上より１ｍの時、雪落とし体を屋根に平行にすると、軒先下からの作業位置までの距離は２．７ｍとなる。雪はこの条件下に於て２．５ｍ地点に落ちると思われる。従って、雪落とし作業は、軒先までの距離は３ｍ程離れた地点が安全と思われる。前記記載の３．５ｍ程に伸ばした棹で差し込み引き抜く。さらに、棹を伸ばすなどして同じ場所に数回行ったら、雪落とし具を横に移動させて同じ作業を行う。雪落とし具を差し、抜きすると、空洞が出来てくる。雪は重力で崩れてくる。
この雪落としの方法は、雪落とし具の全長が約４．７ｍのため、軒先より１．６ｍの範囲までの雪にしか届かない。しかし、雪の重力にて軒に向かって崩れやすくなる。この状況が起こるのは、積雪量が多い程起こりやすい。【００１７】  図５に示す雪落とし作業は、積雪の深さが５０ｃｍくらいまでなら差込み引き抜き作業で崩れやすく、落としやすい。雪は深くなる程崩れにくくなるが、崩れる時はそれまでの作業分、雪の量は多く崩れてくる。したがって雪落とし作業の労力に大きな変化はない。長尺棹６を伸縮させながら手前から奥へ、横へと作業を進める。【００１８】  雪面が凍結の場合は、凍結の情況にもよるが、差し込み難さがあり、また、引き抜き時においても上板１が開かないこともあるが、雪落とし具の抜けた空洞が出来るので、続けて同様作業を行えば雪は崩れやすくなる。本考案は、表面凍結していても、上板１は上部が波形状であり、開きやすい寸法・形状と鋭角約３０度の常用時角度になっている。
また、湿った雪は水分が多い程、雪落とし具が差し込みにくい。本考案は、基板２に一体のストッパー７の角度により、力を入れやすく、差込みやすくしている。【００１９】  本考案の雪落とし具は、積雪の中に斜めに差し込んでも引き出し量は変わらない。上板１面積の引き出す量は同じである。しかし、より奥に差し込むと掻き出し量も多くなり、労力も増してくる。しかし、一度に落とす量は、奥へ差し込めばそれだけ多く落とすことが出来る。【００２０】  本考案の雪落とし具は、軒先から積雪に差込み掻き落とす事により、自然と雪庇も落ちてくるようになる。屋根の高さもさまざまであるが、高い程、棹を伸ばす必要がある。さらに長い棹を装着する場合、先端に装着する雪落とし具のさらなる軽量化を考える時、上板１、基板２の軽量化として、材質変更、寸法変更など考えられるが、材質変更無しに穴明けによる軽量化も良案である。穴径３０ｍｍくらいになると、材質強度の低下、積雪差込み時の雪の抵抗が増すため、再考が必要となる。抵抗が少ない、板強度低下が少ない小さい穴が好ましい。【００２１】  本考案の雪落とし具は、長尺棹１．３３Ｋｇ、先端に装着した上板１・基板２等の重量は０．５１Ｋｇで総計２Ｋｇを切る重量の為、操作しやすい。この先端重量において、棹の先端から４ｍの支点までの先端のしなり角度は約１３度である。このため、雪の予定する落ち場所、安全作業位置を考えると、雪落とし具は、全体のどの部分にも曲がりは必要なく、屋根の傾斜に沿うには、力が入りやすい直線が良いと思われる。
また、体感する重量は持ち手の両手の幅を大きくする程、上の手を支点とした「てこ」の原理で、より器具の体感重量が軽減する。
より使いやすさを検討する時に、材質の種類、厚さ、簡素化、寸法、加工法などを任意に変更することがある。
【符号の説明】
【００２２】  １  上板
２  基板
３  接続部品  丁番
４  接続部品  ねじ
５  棹装着部品
６  棹
７  ストッパー
【図１】
0003214188.tif 000003
【図２】
0003214188.tif 000004
【図３】
0003214188.tif 000005
【図４】
0003214188.tif 000006
【図５】
0003214188.tif 000007